【手続補正書】
【提出日】平成25年5月24日(2013.5.24)
【手続補正１】
【補正対象書類名】特許請求の範囲
【補正対象項目名】全文
【補正方法】変更
【補正の内容】
【特許請求の範囲】
【請求項１】
圧力境界完全性の診断能力を有する制御弁を製造する方法であって、
弁本体を有する制御弁を選択することと、
前記制御弁内における速度分布を決定することと、
前記速度分布の領域を選択することと、
前記領域における、または前記領域付近の前記弁本体の外面上の地点を選択することと、
前記地点に重なる前記弁本体の外面上にパッドを形成することであって、前記パッドを通して前記弁本体の試料の壁厚を測定するために検査装置を前記パッドに当てることができる、前記パッドを形成することと、
前記パッドの少なくとも一部に重なる前記弁本体の内面に突起を形成することと、を含む、方法。
【請求項２】
前記突起が第１の摩耗率を有する材料から形成され、前記弁本体が第２の摩耗率を有する材料から形成され、前記第１の摩耗率が前記第２の摩耗率よりも大きい、請求項１に記載の方法。
【請求項３】
前記パッドは、前記突起の表面と約０度〜約１５度の範囲内で平行な表面を有する、請求項１に記載の方法。
【請求項４】
圧力境界完全性の診断能力を有する制御弁を製造する方法であって、
弁本体を有する制御弁を選択することと、
前記制御弁内における速度分布を決定することと、
前記速度分布の領域を選択することと、
前記領域における、または前記領域付近の前記弁本体の外面上の地点を選択することと、
前記地点に重なる前記弁本体の外面上にパッドを形成することであって、前記パッドを通して前記弁本体の試料の壁厚を測定するために検査装置を前記パッドに当てることができる、前記パッドを形成することと、を含み、
前記パッドは、前記領域に、または前記領域付近に位置する前記弁本体の内面に約０度〜約１５度の範囲において平行である、方法。
【請求項５】
検査装置の少なくとも一部を前記パッドの少なくとも一部に重なるように、前記検査装置を前記弁本体に動作可能に連結することをさらに含む、請求項４に記載の方法。
【請求項６】
較正装置を前記弁本体の外面上に形成することであって、前記較正装置は、前記弁本体の外面上の較正パッドを備え、前記速度プロフィールの較正領域に少なくとも一部が重なるか、または、較正厚を有する、前記弁本体の外面上の較正突出部を備える、較正装置を前記弁本体の外面上に形成することをさらに含む、請求項１に記載の方法。
【請求項７】
圧力境界完全性の診断能力を有する制御弁であって、 
外面、流体入口、流体出口、および弁本体の接続通路を含み、さらには既知の速度分布を有する弁本体と、
前記弁本体の通路に取り付けられた弁座と、
前記弁本体の通路を通る流体の流れを制御するために前記弁座と連携するように適合された弁操作部材と、
選択された前記既知の速度分布領域における、またはその付近の前記弁本体の前記外面上に形成されたパッドであって、前記パッドを通して前記弁本体の試料の壁厚を測定するために検査装置を受けるように適合されたパッドと、
前記パッドの少なくとも一部に重なる前記弁本体の内面上に形成された突起と、を備えた、制御弁。
【請求項８】
前記突起が第１の摩耗率を有する材料から形成され、前記弁本体が第２の摩耗率を有する材料から形成され、前記第１の摩耗率が前記第２の摩耗率よりも大きい、請求項７に記載の制御弁。
【請求項９】
前記突起の表面は約０度〜約１５度の範囲内において前記パッドと平行に配向される、請求項７に記載の制御弁。
【請求項１０】
圧力境界完全性の診断能力を有する制御弁であって、
外面、流体入口、流体出口、および弁本体の接続通路を含み、さらには既知の速度分布を有する弁本体と、
前記弁本体の通路に取り付けられた弁座と、
前記弁本体の通路を通る流体の流れを制御するために前記弁座と連携するように適合された弁操作部材と、
選択された前記既知の速度分布領域における、またはその付近の前記弁本体の前記外面上に形成されたパッドであって、前記パッドを通して前記弁本体の試料の壁厚を測定するために検査装置を受けるように適合されたパッドと、を備え、
前記パッドは平坦な外面を有する、制御弁。
【請求項１１】
前記選択された前記既知の速度分布領域は、最高速度を有する速度分布領域である、請求項７に記載の制御弁。
【請求項１２】
前記既知の速度分布の複数の選択された領域付近にその各々が形成された複数のパッドを備えた、請求項７に記載の制御弁。
【請求項１３】
前記弁本体に動作可能に連結された検査装置であって、前記検査装置の少なくとも一部が、前記パッドの少なくとも一部に重なる、検査装置をさらに備える、請求項１０に記載の制御弁。
【請求項１４】
前記弁本体の外面上の較正装置であって、前記弁本体の外面上の、前記速度分布の較正領域に少なくとも部分的に重なる較正パッド、および前記弁本体の外面上に配置され、かつ較正厚を有する較正突出部からなる群から選択された較正装置をさらに備える、請求項１０に記載の制御弁。
【請求項１５】
前記弁本体の外面上に配置されており、較正厚を有する較正突出部をさらに備える、請求項７に記載の制御弁。
【請求項１６】
制御弁の圧力境界完全性を診断する方法であって、
弁本体を有する制御弁を提供することと、
前記制御弁内における速度分布を決定することと、
前記速度分布領域を選択することと、
前記領域における、または前記領域付近の前記弁本体の外面上の地点を選択することと、
前記地点に重なる前記外面上にパッドを形成することと、
検査装置を用いて前記パッドを通して弁本体の試料の壁厚を測定することと、
前記検査装置を用いた前記試料壁厚の測定後に、前記パッドを通して前記弁本体の第１の壁厚を測定することと、
前記制御弁の前記圧力境界完全性を決定するために、前記試料壁厚と前記第１の壁厚とを比較することと、を含む、方法。
【請求項１７】
前記パッドの少なくとも一部に重なる前記弁本体の内面上に突起を形成することであって、前記試料壁厚および前記第１の壁厚が前記突起の厚さを含む、形成することをさらに含む、請求項１６に記載の方法。
【請求項１８】
前記速度分布領域の選択が、最高速度を有する速度分布領域を選択することを含む、請求項１６に記載の方法。
【請求項１９】
前記第１の壁厚の測定後に、前記検査装置を用いて、前記パッドを通して前記弁本体の第２の壁厚を測定することと、
前記制御弁の前記圧力境界完全性を決定するために、前記第２の壁厚を前記第１の壁厚および前記試料壁厚とを比較することをさらに含む、請求項１６に記載の方法。
【請求項２０】
前記制御弁上の較正装置に前記検査装置を当てることにより、前記検査装置を較正することであって、前記構成装置は、前記弁本体の前記外面上に形成された、較正厚を有する較正突出部、および前記弁本体の前記外面上に形成され、かつ前記速度分布の較正領域に少なくとも部分的に重なる、較正パッドからなる群から選択される、較正することをさらに含み、前記較正パッドにおける弁本体の壁は較正厚を有し、前記速度分布の前記較正領域は非浸食性の流れの領域である、請求項１６に記載の方法。
【手続補正２】
【補正対象書類名】明細書
【補正対象項目名】０００４
【補正方法】変更
【補正の内容】
【０００４】
本発明の実施形態に従うと、圧力境界の診断能力を有する制御弁を製造する方法は、弁本体を有する制御弁を選択することと、制御弁内における速度分布を決定することと、速度分布の領域を選択することと、その領域における、またはその領域付近の弁本体の外面上の地点を選択することと、その地点に重なる弁本体の外面上にパッドを形成することと、検査装置をパッドに当てることと、検査装置を用いてパッドを通して弁本体の基準壁厚を測定することと、パッドの少なくとも一部に重なる弁本体の内面に突起を形成することとを含む。
【手続補正３】
【補正対象書類名】明細書
【補正対象項目名】０００７
【補正方法】変更
【補正の内容】
【０００７】
本発明の別の実施形態に従うと、圧力境界完全性の診断能力を有する制御弁は、外面、流体入口、流体出口、当該弁本体の接続通路を有する弁本体と、既知の速度分布を有する弁本体と、弁本体の通路に取り付けられた弁座と、弁本体の通路を通る流体の流れを制御するために弁座と連携するように適合された弁操作部材と、弁本体の内面上で既知の速度分布領域において、または既知の速度分布領域付近で選択された第１の地点と、第１の地点に重なる弁本体の内面上に形成された突起と、突起の少なくとも一部に重なる、弁本体の外面上に形成されたパッドとを含む。